(57)【要約】【課題】単体で映像の拡大表示が可能とする。【解決手段】スクリーン部Ｓは、レンズ１１Ｒ側へスクリーン部Ｓを回動させたときに、接眼光学系２０ｂの光路に対面する位置に取り付けられている。スクリーン部Ｓにより拡大表示を行わない場合は、スクリーン部Ｓを回動させて接眼光学系２０ｂの光路との対面位置から外すことにより、スクリーン部Ｓへの拡大表示を解除することができる。【選択図】図２
2006139113.tif 000002
【特許請求の範囲】
【請求項１】
左右一対のテンプルを有する眼鏡フレームに、光学像を投射する映像投射部及び映像投射部から投射された光学像を使用者の眼に導く接眼光学系が設けられた映像表示装置において、
前記接眼光学系により導かれた光学像を表示する表示手段を前記眼鏡フレームに設けたことを特徴とする映像表示装置。
【請求項２】
被写体を撮影する撮影手段を前記眼鏡フレームに設け、
前記映像投射部は、前記撮影手段による撮影画像の光学像を投射し、
前記表示手段は、前記映像投射部により投射され、前記接眼光学系により導かれた撮影画像の光学像を表示することを特徴とする請求項１に記載の映像表示装置。
【請求項３】
前記撮影手段を前記テンプルに設け、当該テンプルを軸としてその周方向に回動可能に取り付けることを特徴とする請求項１又は２に記載の映像表示装置。
【請求項４】
前記撮影手段を前記テンプルに設け、当該テンプルを軸としてその軸と直交する方向の周方向に回動可能に取り付けることを特徴とする請求項１〜３の何れか一項に記載の映像表示装置。
【請求項５】
一対のテンプルのうち、一方のテンプルに前記撮影手段を設け、他方のテンプルに前記表示手段を設けたことを特徴とする請求項１〜４の何れか一項に記載の映像表示装置。
【請求項６】
前記眼鏡フレームは、左右一対の眼鏡レンズを有しており、
前記一対の眼鏡レンズのそれぞれに、前記映像投射部及び接眼光学系を設け、
前記一対のテンプルの何れか一方に、前記表示手段を設けたことを特徴とする請求項１〜４の何れか一項に記載の映像表示装置。
【請求項７】
使用者が映像表示装置を装着した際に、前記表示手段が使用者の耳の後部に位置するように、前記表示手段をテンプルに配置することを特徴とする請求項１〜６の何れか一項に記載の映像表示装置。
【請求項８】
前記眼鏡フレームに、前記撮影手段を複数設け、
前記一対のテンプルの何れか一方に、前記表示手段を設けたことを特徴とする請求項２に記載の映像表示装置。
【請求項９】
左右一対のテンプルを有する眼鏡フレームに、光学像を投射する映像投射部及び映像投射部から投射された光学像を使用者の眼に導く接眼光学系が設けられた映像表示装置において、
前記眼鏡フレームを折り畳み可能に構成し、
前記接眼光学系により導かれた光学像を拡大する拡大光学系と、当該拡大された光学像を投影するスクリーンとを有する前記表示手段を前記テンプルに設け、その設置位置を、前記テンプルを折り畳んだときに前記接眼光学系の光路に対面する位置とすることを特徴とする映像表示装置。
【請求項１０】
前記眼鏡フレームを、複数箇所において折り畳み可能に構成し、
前記眼鏡フレームを複数箇所で折り畳んだときに、前記接眼光学系の光路に対面する位置に前記表示手段を取り付けることを特徴とする請求項９に記載の映像表示装置。
【請求項１１】
前記表示手段を前記テンプルに設け、当該テンプルを軸として回動可能に取り付けることを特徴とする請求項１〜１０の何れか一項に記載の映像表示装置。
【請求項１２】
前記表示手段を前記テンプルに設け、当該テンプルを軸としてその軸と直交する方向の周方向に回動可能に取り付けることを特徴とする請求項１〜１０の何れか一項に記載の映像表示装置。
【請求項１３】
前記映像投射部は、前記光学像を発光する発光源を有し、
前記表示手段が前記接眼光学系の光路との対面位置から外れた位置に回動したとき、前記発光源による発光を停止させる制御部を備えることを特徴とする請求項１１又は１２に記載の映像表示装置。
【請求項１４】
左右一対の眼鏡レンズ及びテンプルを有する眼鏡フレームに、光学像を投射する映像投射部及び映像投射部から投射された光学像を使用者の眼に導く接眼光学系が設けられた映像表示装置において、
前記眼鏡フレームを複数箇所において折り畳み可能に構成し、
前記接眼光学系を前記眼鏡レンズの一方に設けるとともに、当該接眼光学系により導かれた光学像を拡大する拡大光学系を他方の眼鏡レンズに設け、当該拡大光学系の設置位置を、前記眼鏡フレームを複数箇所において折り畳んだときに、前記接眼光学系の光路との対面位置とし、
前記拡大光学系からの光学像を投射するスクリーンを前記テンプルに設けたことを特徴とすることを特徴とする映像表示装置。
【請求項１５】
前記拡大光学系への光学像の入射を遮蔽する遮蔽手段を備えることを特徴とする請求項１４に記載の映像表示装置。
【請求項１６】
眼鏡フレームに、光学像を投射する映像投射部及び映像投射部から投射された光学像を使用者の眼に導く接眼光学系が設けられた映像表示装置において、
映像表示装置の一部を別体構成とし、映像表示装置本体を保持可能な保持部を有するコントロールボックスを備え、
前記コントロールボックスに、前記接眼光学系により導かれた光学像を拡大する拡大光学系と、当該拡大された光学像を投影するスクリーンとを有する表示手段を設け、
前記表示手段を、前記保持部に前記映像表示装置を装着したときに、前記接眼光学系の光路に対面する位置に設けたことを特徴とする映像表示装置。
【請求項１７】
前記保持部を、前記コントロールボックスに収納可能に構成したことを特徴とする請求項１６に記載の映像表示装置。
【請求項１８】
眼鏡フレームに、光学像を投射する映像投射部及び映像投射部から投射された光学像を使用者の眼に導く接眼光学系が設けられた映像表示装置と、前記映像表示装置を収納可能なクレードルと、を備え、
前記クレードルに、前記接眼光学系により導かれた光学像を拡大する拡大光学系と、当該拡大された光学像を投影するスクリーンとを有する表示手段を設け、
前記表示手段を、前記クレードルに前記映像表示装置を収納したときに、前記接眼光学系の光路に対面する位置に設けたことを特徴とする映像表示システム。
【発明の詳細な説明】
【技術分野】
【０００１】
本発明は、映像を表示する映像表示装置に関し、詳細には使用者の眼前に装着されて映像を使用者の眼前で表示する映像表示装置及び当該映像表示装置とそのクレードルとを備えた映像表示システムに関する。
【背景技術】
【０００２】
使用者の身体に装着し、携帯することができるウェラブルディスプレイ（以下、WDという）と呼ばれる小型の映像表示装置が開発されている。ＷＤは様々なタイプのものが開発されており、例えば頭部に装着するヘッドマウンテン型、眼鏡フレームと一体となった眼鏡型等が挙げられる。何れのタイプでも、ＷＤは携帯性に優れているため使用場所を選ばず、しかも身体に装着するため使用者は映像を見ながら作業をすることができる。
【０００３】
しかし、上記のような利点がある反面、使用者以外の者がＷＤの映像を見ることができないという問題があった。
このような問題に対し、従来からＷＤで表示する映像をプロジェクタ装置に出力し、プロジェクタ装置のスクリーン上に拡大表示させる方法が開示されている（例えば、特許文献１参照）。スクリーン上に映像が拡大表示されるので、複数人で映像を観察することができる。
【特許文献１】特開平９−１８２１１２号公報
【発明の開示】
【発明が解決しようとする課題】
【０００４】
しかしながら、上記従来技術では、ＷＤの他にプロジェクタ装置という別体の装置が必要となるため、ＷＤの携帯性が損なわれることとなる。
【０００５】
本発明の課題は、単体で映像の拡大表示が可能な映像表示装置を提供することである。
【課題を解決するための手段】
【０００６】
請求項１に記載の発明は、映像表示装置において、
左右一対のテンプルを有する眼鏡フレームに、光学像を投射する映像投射部及び映像投射部から投射された光学像を使用者の眼に導く接眼光学系が設けられた映像表示装置において、
前記接眼光学系により導かれた光学像を表示する表示手段を前記眼鏡フレームに設けたことを特徴とする。
【０００７】
請求項２に記載の発明は、請求項１に記載の映像表示装置において、
被写体を撮影する撮影手段を前記眼鏡フレームに設け、
前記映像投射部は、前記撮影手段による撮影画像の光学像を投射し、
前記表示手段は、前記映像投射部により投射され、前記接眼光学系により導かれた撮影画像の光学像を表示することを特徴とする。
【０００８】
請求項３に記載の発明は、請求項１又は２に記載の映像表示装置において、
前記撮影手段を前記テンプルに設け、当該テンプルを軸としてその周方向に回動可能に取り付けることを特徴とする。
【０００９】
請求項４に記載の発明は、請求項１〜３の何れか一項に記載の映像表示装置において、
前記撮影手段を前記テンプルに設け、当該テンプルを軸としてその軸と直交する方向の周方向に回動可能に取り付けることを特徴とする。
【００１０】
請求項５に記載の発明は、請求項１〜４の何れか一項に記載の映像表示装置において、
一対のテンプルのうち、一方のテンプルに前記撮影手段を設け、他方のテンプルに前記表示手段を設けたことを特徴とする。
【００１１】
請求項６に記載の発明は、請求項１〜４の何れか一項に記載の映像表示装置において、
前記眼鏡フレームは、左右一対の眼鏡レンズを有しており、
前記一対の眼鏡レンズのそれぞれに、前記映像投射部及び接眼光学系を設け、
前記一対のテンプルの何れか一方に、前記表示手段を設けたことを特徴とする。
【００１２】
請求項７に記載の発明は、請求項１〜６の何れか一項に記載の映像表示装置において、
使用者が映像表示装置を装着した際に、前記表示手段が使用者の耳の後部に位置するように、前記表示手段をテンプルに配置することを特徴とする。
【００１３】
請求項８に記載の発明は、請求項２に記載の映像表示装置において、
前記眼鏡フレームに、前記撮影手段を複数設け、
前記一対のテンプルの何れか一方に、前記表示手段を設けたことを特徴とする。
【００１４】
請求項９に記載の発明は、映像表示装置において、
左右一対のテンプルを有する眼鏡フレームに、光学像を投射する映像投射部及び映像投射部から投射された光学像を使用者の眼に導く接眼光学系が設けられた映像表示装置において、
前記眼鏡フレームを折り畳み可能に構成し、
前記接眼光学系により導かれた光学像を拡大する拡大光学系と、当該拡大された光学像を投影するスクリーンとを有する前記表示手段を前記テンプルに設け、その設置位置を、前記テンプルを折り畳んだときに前記接眼光学系の光路に対面する位置とすることを特徴とする。
【００１５】
請求項１０に記載の発明は、請求項６に記載の映像表示装置において、
前記眼鏡フレームを、複数箇所において折り畳み可能に構成し、
前記眼鏡フレームを複数箇所で折り畳んだときに、前記接眼光学系の光路に対面する位置に前記表示手段を取り付けることを特徴とする。
【００１６】
請求項１１に記載の発明は、請求項１〜７の何れか一項に記載の映像表示装置において、
前記表示手段を前記テンプルに設け、当該テンプルを軸として回動可能に取り付けることを特徴とする。
【００１７】
請求項１２に記載の発明は、請求項１〜７の何れか一項に記載の映像表示装置において、
前記表示手段を前記テンプルに設け、当該テンプルを軸としてその軸と直交する方向の周方向に回動可能に取り付けることを特徴とする。
【００１８】
請求項１３に記載の発明は、請求項８又は９に記載の映像表示装置において、
前記映像投射部は、前記光学像を発光する発光源を有し、
前記表示手段が前記接眼光学系の光路との対面位置から外れた位置に回動したとき、前記発光源による発光を停止させる制御部を備えることを特徴とする。
【００１９】
請求項１４に記載の発明は、映像表示装置において、
左右一対の眼鏡レンズ及びテンプルを有する眼鏡フレームに、光学像を投射する映像投射部及び映像投射部から投射された光学像を使用者の眼に導く接眼光学系が設けられた映像表示装置において、
前記眼鏡フレームを複数箇所において折り畳み可能に構成し、
前記接眼光学系を前記眼鏡レンズの一方に設けるとともに、当該接眼光学系により導かれた光学像を拡大する拡大光学系を他方の眼鏡レンズに設け、当該拡大光学系の設置位置を、前記眼鏡フレームを複数箇所において折り畳んだときに、前記接眼光学系の光路との対面位置とし、
前記拡大光学系からの光学像を投射するスクリーンを前記テンプルに設けたことを特徴とすることを特徴とする。
【００２０】
請求項１５に記載の発明は、請求項１１に記載の映像表示装置において、
前記拡大光学系への光学像の入射を遮蔽する遮蔽手段を備えることを特徴とする。
【００２１】
請求項１６に記載の発明は、映像表示装置において、
眼鏡フレームに、光学像を投射する映像投射部及び映像投射部から投射された光学像を使用者の眼に導く接眼光学系が設けられた映像表示装置において、
映像表示装置の一部を別体構成とし、映像表示装置本体を保持可能な保持部を有するコントロールボックスを備え、
前記コントロールボックスに、前記接眼光学系により導かれた光学像を拡大する拡大光学系と、当該拡大された光学像を投影するスクリーンとを有する表示手段を設け、
前記表示手段を、前記保持部に前記映像表示装置を装着したときに、前記接眼光学系の光路に対面する位置に設けたことを特徴とする。
【００２２】
請求項１７に記載の発明は、請求項１３に記載の映像表示装置において、
前記保持部を、前記コントロールボックスに収納可能に構成したことを特徴とする。
【００２３】
請求項１８に記載の発明は、映像表示システムにおいて、
眼鏡フレームに、光学像を投射する映像投射部及び映像投射部から投射された光学像を使用者の眼に導く接眼光学系が設けられた映像表示装置と、前記映像表示装置を収納可能なクレードルと、を備え、
前記クレードルに、前記接眼光学系により導かれた光学像を拡大する拡大光学系と、当該拡大された光学像を投影するスクリーンとを有する表示手段を設け、
前記表示手段を、前記クレードルに前記映像表示装置を収納したときに、前記接眼光学系の光路に対面する位置に設けたことを特徴とする。
【発明の効果】
【００２４】
請求項１に記載の発明によれば、映像投射部から投射された光学像を表示手段により拡大表示することができる。よって、映像表示装置単体で拡大表示が可能となり、複数人で映像を観察することができる。また、映像表示装置を眼前に装着しない場合でも映像の観察が可能となる。
【００２５】
請求項２に記載の発明によれば、撮影画像を拡大表示することができる。よって、映像表示装置単体で、撮影及び撮影画像の観察を行うことができ、利便性を向上させることができる。
【００２６】
請求項３に記載の発明によれば、撮影手段を回動させることにより、撮影方向を調整することができる。
【００２７】
請求項４に記載の発明によれば、撮影手段を回動させることにより、撮影方向を調整することができる。
【００２８】
請求項５に記載の発明によれば、撮影手段及び表示手段の重量負荷が左右のテンプルに分散されるので、眼鏡フレームを装着したときの重量バランスを良好に保つことができる。
【００２９】
請求項６に記載の発明によれば、眼鏡レンズのそれぞれに映像投射部及び接眼光学系を設けたので、両眼で映像を観察することができる両眼タイプにおいても、表示手段により映像表示を行うことができる。例えば、両眼で異なる映像を表示させ、どちらか一方の映像を表示手段により表示させることも可能となる。
【００３０】
請求項７に記載の発明によれば、映像表示装置を装着した際に、表示手段は使用者の耳の後部に位置するので、映像表示装置を装着して使用する場合、表示手段が使用の妨げにならず、作業性を向上させることができる。
【００３１】
請求項８に記載の発明によれば、複数の撮影手段により異なる撮影画像を得て、当該撮影画像を表示手段により表示させることができる。
【００３２】
請求項９に記載の発明によれば、眼鏡フレームを折り畳んだ状態で、映像投射部から投射された光学像を表示手段により拡大表示することができる。よって、映像表示装置単体で拡大表示が可能となり、複数人で映像を観察することができる。また、折り畳むことにより、映像表示装置を小型化し、その携帯性を向上させることができる。
【００３３】
請求項１０に記載の発明によれば、眼鏡フレームを複数箇所で折り畳んだ状態で、映像投射部から投射された光学像を表示手段により拡大表示することができる。よって、映像表示装置単体で拡大表示が可能となり、複数人で映像を観察することができる。また、複数箇所で折り畳むことにより、より映像表示装置を小型化することができ、さらにその携帯性を向上させることができる。
【００３４】
請求項１１に記載の発明によれば、表示手段を回動させることにより、表示手段の設置位置を調整することができる。
【００３５】
請求項１２に記載の発明によれば、表示手段を回動させることにより、表示手段の設置位置を調整することができる。
【００３６】
請求項１３に記載の発明によれば、表示手段が接眼光学系の光路との対面位置から外れた場合、表示手段に接眼光学系の光学像が入射せず、その光学像が投影されないので、このような場合に、自動的に光学像の発光を停止させることにより、節電を図ることができる。また、表示の停止操作を使用者自身が行う必要がなく、操作性を向上させることができる。
【００３７】
請求項１４に記載の発明によれば、眼鏡フレームを複数箇所で折り畳んだ状態で、映像投射部から投射された光学像を表示手段により拡大表示することができる。よって、映像表示装置単体で拡大表示が可能となり、複数人で映像を観察することができる。また、複数箇所で折り畳むことにより、より映像表示装置を小型化することができ、さらにその携帯性を向上させることができる。
【００３８】
請求項１５に記載の発明によれば、スクリーン不使用時には、遮蔽手段により拡大光学系への光学像の入射を防止することができる。よって、強い光が使用者の眼に直接入射することを防止することができる。
【００３９】
請求項１６に記載の発明によれば、映像投射部から投射された光学像をコントロールボックスに設けられた表示手段により拡大表示することができる。よって、映像表示装置単体で拡大表示が可能となり、複数人で映像を観察することができる。また、映像表示装置を眼前に装着しない場合でも映像の観察が可能となる。
【００４０】
請求項１７に記載の発明によれば、表示手段を使用する場合には保持部をコントロールボックスから取り出すことにより、映像表示装置本体を保持部に装着しやすくなり、表示手段を使用しない場合には、保持部とコントロールボックスとを一体に保管することができる。
【００４１】
請求項１８に記載の発明によれば、映像投射部から投射された光学像をクレードルに設けられた表示手段により拡大表示することができる。よって、映像表示装置と一体化したクレードルにより拡大表示が可能となり、複数人で映像を観察することができる。また、映像表示装置を眼前に装着しない場合でも映像の観察が可能となる。さらに、クレードルにより映像表示装置が固定されるので、安定した状態で映像を観察することができる。
【発明を実施するための最良の形態】
【００４２】
〈第１実施形態〉
第１実施形態では、眼鏡型の映像表示装置において、眼鏡フレームのテンプルに拡大光学系及びスクリーンを設けた例を説明する。
【００４３】
まず、構成を説明する。
図１に、第１実施形態における映像表示装置１の外観を示す。
図１に示すように、映像表示装置１は、左右対称に設けられたレンズ１１Ｒ、１１Ｌ、鼻あて１２Ｒ、１２Ｌ、使用者頭部への保持部材であるテンプル１３Ｒ、１３Ｌ、回動部１４Ｒ、１４Ｌ、ブリッジ１５からなる眼鏡フレームに、映像投射部２０ａ、制御本体部３０を備えて構成されている。映像投射部２０ａ、制御本体部３０はレンズ１１Ｒに設けられ、当該レンズ１１Ｒにはプリズム２４、ホログラフィック光学素子（以下、ＨＯＥ；Holographic Optical Elementという）２５が一体に形成されて、映像投射部２０ａから発せられた映像の光学像（以下、映像光という）を使用者の眼前に導く接眼光学系２０ｂを構成している。また、制御本体部３０には、表示操作を行うための操作部３３が設けられている。
【００４４】
テンプル１３Ｌには、上記接眼光学系２０ｂにより導かれた映像光を投影するためのスクリーン部Ｓが設けられており、テンプル１３Ｌを軸としてその周方向、つまり図１に示すｘ方向に回動可能に取り付けられている。また、テンプル１３Ｒ、１３Ｌは、回動部１４Ｒ、１４Ｌにて内側（レンズ１１Ｒ、１１Ｌ側）に回動可能に構成されており、内側に回動することにより眼鏡フレームを折り畳むことができる。
【００４５】
図２に、回動部１４Ｒ、１４Ｌにより折り畳まれた状態を示す。
図２（ａ）は、スクリーン使用時の映像表示装置１の状態を示す図である。図２（ａ）に示すように、スクリーン部Ｓは、レンズ１１Ｒ側へスクリーン部Ｓを回動させたときに、接眼光学系２０ｂの光路に対面する位置に取り付けられている。スクリーン部Ｓにより拡大表示を行わない場合は、図２（ｂ）に示すように、スクリーン部Ｓを回動させて接眼光学系２０ｂの光路との対面位置から外すことにより、スクリーン部Ｓへの拡大表示を解除することができる。
【００４６】
図３に、映像投射部２０ａ、接眼光学系２０ｂ及びスクリーン部Ｓの内部構成を示し、映像の拡大表示方法について説明する。なお、映像には、静止画像、動画像の何れも含まれるものとする。
図３に示すように、映像投射部２０ａは、ＬＥＤ（Light Emitting Diode）２１、コンデンサレンズ２２、ＬＣＤ（Liquid Crystal Display）２３を備えて構成され、接眼光学系２０ｂは、プリズム２４、ＨＯＥ２５を備えて構成されている。
【００４７】
ＬＥＤ２１は、ＬＣＤ２３を照明するための発光源であり、コンデンサレンズ２２はＬＥＤ２１が発した光をＬＣＤ２３の全面に均一に導くための照明光学系である。ＬＣＤ２３は、映像を表示する透過型の表示装置であり、ＬＥＤ２１からの照明光を受けてプリズム２４側に映像光を発する。
【００４８】
上記映像投射部２０ａは筐体により覆われ、この筐体によりプリズム２４が挟まれている。プリズム２４は、透明なガラス又は樹脂等からなり、平板状に形成されたものである。プリズム２４は、右眼用のレンズ１１Ｒの一部に埋め込まれており、その下端部にはＨＯＥ２５が形成されている。ＨＯＥ２５は、プリズム２４とレンズ１１Ｒをホログラム基板として、その間に挟まれるように配置されている。ＨＯＥ２５は、ホログラム基板面に対して平行でない干渉縞からなる２つの干渉縞パターンを有しており、この干渉縞パターンの回折作用によって、ＨＯＥ２５に入射した光は回折反射して使用者の眼に導かれる。
【００４９】
ＬＣＤ２３から発せられた映像光は、プリズム２４により反射を複数回繰り返しながらＨＯＥ２５に導かれると、ＨＯＥ２５により回折して平行光に近い光束となってスクリーン部Ｓに入射する。
【００５０】
スクリーン部Ｓは、拡大光学系である拡大レンズＳ１、スクリーンＳ２を備えて構成される表示手段である。
拡大レンズＳ１は、入射光を屈折させる凸レンズである。映像投射部２０ａにより導かれた映像光がこの拡大レンズＳ１を透過すると、拡大レンズＳ１により屈折してスクリーンＳ２に入射するので、スクリーンＳ２では映像光の光学像が拡大されて投影される。このとき、ＬＣＤ２３により投射された映像は、拡大レンズＳ１により上下１８０度回転してスクリーンＳ２上に投影されるので、スクリーン部Ｓを使用して映像の観察を行う場合には、ＬＣＤ２３では、後述する制御部により予め１８０度上下に回転させた像に変換されたものを投射することとする。
【００５１】
次に、上記映像の表示を制御する制御系について説明する。
図４は、制御本体部３０の制御系を示す構成図である。
図４に示すように、制御本体部３０は、制御部３１、メモリ３２、操作部３３、映像投射部２０ａ、Ｉ／Ｏ３４、電源３５、充電用端子３６から構成されている。なお、この構成にイヤホンやマイクを追加し、音の入出力が可能な構成としてもよい。
【００５２】
制御部３１は、メモリ３２に記憶された各種制御プログラムを読み出して、当該プログラムに従い、映像表示装置１の各部の処理動作を集中制御する。例えば、映像を表示する際には、メモリ３２から表示対象の画像データを読み出して映像投射部３４に出力するとともに、映像投射部３４のＬＥＤ２１、ＬＣＤ２３に制御信号を出力し、当該画像データの表示を指示する。
【００５３】
メモリ３２は、制御プログラムを記憶している他、映像投射部２０ａで表示する画像データ等を記憶する。なお、映像表示装置１がイヤホンやマイクを備えて音の入出力が可能に構成されている場合には、音データ等を記憶する。
【００５４】
映像投射部２０ａは、図２を参照して説明した映像投射部２０ａと同一であるので、ここでは詳細な説明を省略する。
【００５５】
Ｉ／Ｏ３４は、外部装置と接続された際に、データの入出力を行う入出力インターフェイスである。例えば、映像表示装置１を他のコンピュータ装置に接続し、このＩ／Ｏ３４を介して映像表示装置１で表示する画像データを取り入れたり、逆に映像表示装置１側でメモリ３２に保持している画像データを接続されたコンピュータ装置に送信可能な構成とすることができる。
【００５６】
電源３５は、二次電池、電源制御回路等を備えて構成され、当該二次電池から各部へ電力供給を行う。また、充電用端子３６を介して２次電池への充電が可能である。
【００５７】
次に、上記映像表示装置１の使用方法について説明する。
映像表示装置１の使用方法としては、映像表示装置１を装着して映像を観察する場合と、装着しないで映像を観察する場合の２通りがある。
【００５８】
装着して観察する場合、映像表示装置１は眼鏡型に形成されているので、使用者が眼鏡を装着するように映像表示装置１を装着し、操作部３３を介して映像表示を指示操作する。映像表示装置１では、制御本体部３０においてメモリ３２から画像データが読み出され、当該画像データに基づく映像光が映像投射部２０ａから発せられる。映像光は接眼光学系２０ｂにより使用者の眼に導かれるので、使用者は映像を観察することができる。
【００５９】
一方、映像表示装置１を装着しないで映像を観察する場合、図２（ａ）に示すように、テンプル１３Ｒ、１３Ｌをレンズ１１Ｒ、１１Ｌ側に折り畳み、スクリーン部Ｓをレンズ１１Ｒ側に回動させる。そして、操作部３３によりスクリーンによる映像表示を指示操作すると、映像表示装置１では、メモリ３２から読み出された画像データが制御部３１により上下１８０度反転され、当該回転された像の映像データが映像投射部２０ａに出力される。映像投射部２０ａでは、入力された映像データに基づいて、映像光が映像投射部２０ａから発光される。発光された映像光は接眼光学系２０ｂにより導かれてスクリーン部Ｓに入射し、スクリーン部Ｓの拡大レンズＳ１を介してスクリーンＳ２に入射する。スクリーンＳ２では、拡大された映像光の光学像が投影される。
【００６０】
また、使用しない時には、図２（ｂ）に示すように、スクリーン部Ｓを回動させて接眼光学系２０ｂの光路との対面位置から外すことにより、拡大表示を解除することができる。
【００６１】
以上のように、第１実施形態によれば、テンプル１３Ｌにスクリーン部Ｓを設け、その設置位置を、テンプル１３Ｌを折り畳んだ際に、接眼光学系２０ｂの光路との対面する位置としたので、接眼光学系２０ｂにより導かれた映像光をスクリーン部Ｓにより拡大表示して投影することができる。よって、拡大表示により、映像表示装置１単体でも、複数人で映像を観察することができ、映像表示装置１の携帯性を損なわずに利便性を向上させることができる。
【００６２】
また、スクリーン部Ｓをテンプル１３Ｌの軸方向を中心として回動可能に構成したので、拡大表示しない場合には、スクリーン部Ｓを回動して接眼光学系２０ｂの光路の対面位置から移動させることにより、拡大表示を解除することができる。
【００６３】
また、スクリーン部Ｓは、使用者が眼鏡フレームを装着した際に、使用者の耳の後部側に位置するように、テンプル１３Ｌの端部（モダン部分）に配置されているので、映像表示装置１を装着して使用する場合には、スクリーン部Ｓは使用者の耳の後部に位置するので、使用者の作業の妨げにならない。
【００６４】
〈第２実施形態〉
第２実施形態では、第１実施形態の映像表示装置１において、さらに撮影部を設けた例を説明する。
【００６５】
図５に、第２実施形態における映像表示装置２を示す。
第２実施形態における映像表示装置２において、第１実施形態の映像表示装置１と同一構成部には、同一の符号を付し、異なる機能部分のみを説明する。
すなわち、図５に示すように、映像表示装置２は、レンズ１１Ｒ、１１Ｌ、鼻あて１２Ｒ、１２Ｌ、テンプル１３Ｒ、１３Ｌ、回動部１４Ｒ、１４Ｌ、ブリッジ１５からなる眼鏡フレームに、映像投射部２０ａ、プリズム２４、ＨＯＥ２５からなる接眼光学系２０ｂ、制御本体部３０を備えて構成されている。
【００６６】
また、１対のテンプル１３Ｒ、１３Ｌのうち、テンプル１３Ｌにはスクリーン部Ｓ、テンプル１３Ｒには撮影部Ｃが設けられており、撮影部Ｃはケーブルを介して制御本体部３０に接続されている。
第１実施形態と同様に、スクリーン部Ｓは、テンプル１３Ｌを軸としてその周方向（図５に示すｘ方向）に回動可能に取り付けられている。また、撮影部Ｃは、テンプル１３Ｒを軸としてその周方向（ｙ方向）に回動可能に、かつテンプル１３Ｒの軸と直交する方向の周方向（ｚ方向）に回動可能に取り付けられている。
【００６７】
図６に、テンプル１３Ｒ、１３Ｌが回動部１４Ｒ、１４Ｌによりレンズ１１Ｒ、１１Ｌ側に回動され、折り畳まれた状態を示す。
図６に示すように、スクリーン部Ｓは、レンズ１１Ｒ側へ回動させたときに、接眼光学系２０ｂの光路に対面する位置に設けられている。スクリーン部Ｓを使用しない場合は、第１実施形態において図２（ｂ）に示したように、スクリーン部Ｓを回動して接眼光学系２０ｂの光路との対面位置から外すことにより、スクリーン部Ｓによる拡大表示を解除することができる。
【００６８】
また、撮影部Ｃは、ｙ方向及びｚ方向に回動可能に構成されているので、ｙ方向及びｚ方向へ回動させることにより、撮影方向を調整することができる。
【００６９】
なお、撮影部Ｃは、制御部３１に接続され、制御部３１から入力される制御信号に従って撮影動作を行う撮影手段である。撮影部Ｃは、光学レンズ、ＣＣＤ（Charge Coupled Device）等の光学センサ、Ａ／Ｄ変換部等から構成され、光学レンズを介して入力される被写体像を光学センサにより光電変換して画像信号を生成する。そして、Ａ／Ｄ変換部によりアナログ画像信号からデジタル画像データを得て、当該デジタル画像データを制御本体部３０に出力する。これを連続的に行うことにより、動画像、つまり撮影映像のデータを制御本体部３０に出力することができる。
【００７０】
次に、上記映像表示装置２の使用方法について説明する。
映像表示装置２を装着して映像を観察する場合は、第１実施形態と同様に、使用者が映像表示装置１を装着し、操作部３３を介して映像表示を指示操作する。このとき、予めメモリ３２に記憶されている画像の表示、或いは撮影部Ｃによる撮影映像の表示の何れかを選択することができる。予めメモリ３２に記憶されている画像の表示が指示された場合は、第１実施形態で説明した動作と同様の動作が行われるので、ここでは説明を省略する。
【００７１】
一方、撮影部Ｃによる撮影映像の表示が選択された場合、映像表示装置２では、撮影部Ｃによる撮影が開始され、その撮影映像の動画像データが制御本体部３０に出力される。制御本体部３０では、動画像データが映像投射部２０ａに出力され、映像投射部２０ａにおいて動画像データに基づいて撮影映像の映像光が発せられる。映像光は接眼光学系２０ｂにより使用者の眼に導かれるので、使用者は撮影映像の観察を行うことが可能となる。
【００７２】
また、映像表示装置２を装着しないで映像を観察する場合、図６に示すように、テンプル１３Ｒ、１３Ｌをレンズ１１Ｒ、１１Ｌ側に折り畳み、スクリーン部Ｓをレンズ１１Ｒ側に回動させる。そして、操作部３３によりスクリーンによる映像表示を指示操作する。この場合も、予め記憶されている映像と撮影映像の何れかを選択することができるが、撮影映像が選択された場合のみを説明する。
【００７３】
映像表示装置２では、撮影部Ｃにおいて撮影が開始され、その撮影映像の動画像データが制御本体部３０に出力される。次いで、制御部３１により動画像データが上下１８０度回転され、当該回転された像の動画像データが映像投射部２０ａに出力される。映像投射部２０ａでは、入力された動画像データに基づいて、その映像光が映像投射部２０ａから発光される。発光された映像光は、レンズ１１Ｒを透過してスクリーン部Ｓに入射し、スクリーン部Ｓの拡大レンズＳ１を介してスクリーンＳ２に投影される。スクリーンＳ２では、拡大レンズにより拡大された撮影映像の光学像が投影されるので、映像表示装置２を装着せずにスクリーン部Ｓに投影された撮影映像を観察することができる。
【００７４】
また、撮影映像を拡大表示しない時には、撮影部Ｃによる撮影を停止する旨の指示操作を行い、図２（ｂ）に示すように、スクリーン部Ｓを回動させてレンズ１１Ｒと接眼光学系２０ｂの光路との対面位置から移動させる。これにより、拡大表示を解除することができる。
【００７５】
以上のように、第２実施形態によれば、一方のテンプル１３Ｌにスクリーン部Ｓを設け、その設置位置を、接眼光学系２０ｂの光路に対面する位置とし、さらに他方のテンプル１３Ｒに撮影部Ｃを設け、この撮影部Ｃによる撮影映像をスクリーン部Ｓにより拡大表示する。よって、拡大表示により、映像表示装置２単体でも複数人で撮影映像を観察することができ、その携帯性を損なうことなく、利便性を向上させることができる。
【００７６】
また、撮影部Ｃを、テンプル１３Ｒを軸としてその週報光及び軸と直交する方向の周方向に回動可能に設置したので、撮影箇所に合わせて撮影部Ｃの撮影方向を調整することができる。
【００７７】
また、スクリーン部Ｓをテンプル１３Ｌを軸としてその周方向に回動可能に設置したので、拡大表示を行わない場合には、スクリーン部Ｓを回動して接眼光学系２０ｂの光路との対面位置から移動させることにより、拡大表示を容易に解除することができる。
【００７８】
さらに、１対のテンプル１３Ｒ及び１３Ｌのうち、一方にスクリーン部Ｓ、他方に撮影部Ｃを備えることとしたので、左右の重量バランスを良好に保つことができる。
【００７９】
〈第３実施形態〉
第３実施形態では、第１実施形態の映像表示装置１において、複数箇所で折り畳み可能とし、この複数箇所で折り畳まれた状態でスクリーン部Ｓによる拡大表示を可能とした例を説明する。
【００８０】
図７に、第３実施形態における映像表示装置３を示す。
第３実施形態における映像表示装置３において、第１実施形態の映像表示装置１と同一構成部には、同一の符号を付し、異なる機能部分のみを説明する。
すなわち、図７に示すように、映像表示装置３は、レンズ１１Ｒ、１１Ｌ、鼻あて１２Ｒ、１２Ｌ、テンプル１３Ｒ、１３Ｌ、ブリッジ１５からなる眼鏡フレームに、映像投射部２０ａ、プリズム２４、ＨＯＥ２５からなる接眼光学系２０ｂ、制御本体部３０を備えて構成されている。また、テンプル１３Ｒには、スクリーン部Ｓが図７に示すｘ方向に回動自在に設けられている。
【００８１】
テンプル１３Ｒ、１３Ｌ及びブリッジ１５には、複数の回動部１４ａ〜１４ｆが設けられている。テンプル１３Ｒ、１３Ｌは、回動部１４ａ、１４ｃにより外側に回動自在となり、回動部１４ｂ、１４ｄにより内側に回動自在となる。また、ブリッジ１５は、その両端部に形成される回動部１４ｅ、１４ｆにより外側に回動自在となる。
【００８２】
図８に、回動部１４ａ〜１４ｆにより眼鏡フレームが折り畳まれた状態を示す。
図８（ａ）は、折り畳まれた映像表示装置３を上面から見た図であり、図８（ｂ）は、レンズ１１Ｒ側から見た図である。
図８（ａ）、（ｂ）に示すように、スクリーン部Ｓは、テンプル１３Ｒにおいて、回動部１４ａ〜１４ｆによりそれぞれ回動させて眼鏡フレームが折り畳まれたときに、接眼光学系２０ｂの光路との対面位置に設けられている。
【００８３】
なお、図７及び図８では、スクリーン部Ｓをテンプル１３Ｌの端部（レンズ１１Ｌ側と反対の端部）に設けることとしたが、接眼光学系２０ｂの光路に対面する位置であれば、テンプル１３Ｌのレンズ１１Ｌ側の端部に設けることとしてもよい。
【００８４】
次に、上記のように構成された映像表示装置３の使用方法について説明する。
映像表示装置３を装着する場合の使用方法については、第１実施形態と同様であるので、ここでは説明を省略し、以下、映像表示装置３を装着しない場合の使用方法について説明する。
【００８５】
まず、回動部１４ａ〜１４ｆのそれぞれにおいてテンプル１３Ｒ、１３Ｌ、ブリッジ１５を回動させて眼鏡フレームを折り畳む。折り畳まれた映像表示装置３は、図８に示すような状態となるので、次に図８（ｂ）に示すように、スクリーン部Ｓを回動させてレンズ１１Ｒ側に移動させる。そして、操作部３３を介してスクリーンによる映像表示の指示操作を行う。映像表示装置３では、映像表示の指示に応じて、第１実施形態と同様の処理動作がなされる。つまり、映像投射部２０ａから映像光（１８０度上下に回転された像）が発せられ、その光学像が拡大表示されてスクリーン部Ｓに投影される。
【００８６】
以上のように、第３実施形態によれば、回動部１４ａ〜１４ｆを設けて映像表示装置３の眼鏡フレームを折り畳み可能な構成とし、折り畳んだ際に接眼光学系２０ｂの光路との対面位置にスクリーン部Ｓを設置し、このスクリーン部Ｓにより映像の拡大表示を行う。よって、拡大表示により、映像表示装置２単体でも複数人で撮影映像を観察することができ、その携帯性を損なうことなく、利便性を向上させることができる。
また、眼鏡フレームを折り畳み可能な構成としたので、映像表示装置３を小型化することができ、携帯性を向上させることができる。
【００８７】
〈第４実施形態〉
第４実施形態では、第３実施形態の映像表示装置３において、拡大光学系の拡大レンズＳ１とスクリーンＳ２とを別体に構成し、レンズ１１Ｌの一部に拡大レンズＳ１を設けた例を説明する。
【００８８】
図９に、第４実施形態における映像表示装置４を示す。
第４実施形態における映像表示装置４において、第３実施形態の映像表示装置３と同一の構成部には同一の符号を付し、異なる機能部分についてのみ説明する。
すなわち、図９に示すように、映像表示装置４は、レンズ１１Ｒ、１１Ｌ、鼻あて１２Ｒ、１２Ｌ、テンプル１３Ｒ、１３Ｌ、回動部１４ａ〜１４ｆ、ブリッジ１５からなる眼鏡フレームに、映像投射部２０ａ、プリズム２４、ＨＯＥ２５からなる接眼光学系２０ｂ、制御本体部３０を備えて構成されている。また、テンプル１３Ｒには、スクリーンＳ２がｘ方向に回動自在に設けられている。
【００８９】
レンズ１３Ｌには、その左側上方に拡大光学系である拡大レンズＳ１が設けられ、拡大レンズＳ１のレンズカバー４１が支持部材４２によりテンプル１１Ｌのレンズ１１Ｌ側の端部に取り付けられている。レンズカバー４１は、拡大レンズＳ１への入光を遮蔽するための遮光手段であり、遮光性の材料により構成され、拡大レンズＳ１全体を覆うことが可能なサイズに形成される。
【００９０】
図１０（ａ）に、図９に示す映像表示装置を上部から見た図を示し、図１０（ｂ）に内側からレンズ１１Ｒ、１１Ｌの正面を見た図を示す。
図１０（ａ）に示すように、レンズカバー４１は、支持部材４２によりテンプル１３Ｌに支持され、この支持部材４２は回動部４３により、図１０（ｂ）に示すように、レンズ１１Ｌと同一平面上で９０度上部に（図１０（ｂ）に示すｗ方向に）回転自在に構成されている。
【００９１】
また、図９に示すように、テンプル１３Ｒ、１３Ｌ及びブリッジ１５には、複数の回動部１４ａ〜１４ｆが設けられている。テンプル１３Ｒ、１３Ｌは、回動部１４ａ、１４ｃにより外側に回動自在となり、回動部１４ｂ、１４ｄにより内側に回動自在となる。また、ブリッジ１５は、その両端部に形成される回動部１４ｅ、１４ｆにより内側に回動自在となる。
【００９２】
図１１に、回動部１４ａ〜１４ｆにより折り畳まれた状態を示す。
図１１（ａ）は、折り畳まれた映像表示装置４を上面から見た図であり、図１１（ｂ）は、レンズ１１Ｌ側から見た図である。
図１１（ａ）、（ｂ）に示すように、拡大レンズＳ１及びスクリーン部Ｓは、回動部１４ａ〜１４ｆによりそれぞれ回動させ、折り畳んだ状態のとき、テンプル１３Ｒにおいて、接眼光学系２０ｂの光路と対面する位置に設けられている。
【００９３】
次に、上記映像表示装置４の使用方法について説明する。
映像表示装置４を装着して使用する場合、使用者は、図１０（ｂ）に示すように、レンズカバー４１を回動させて拡大レンズＳ１を覆うように設置した後、映像表示装置４を装着する。次いで、操作部３３を介して映像表示の指示操作を行うと、映像表示装置４では、第１実施形態で説明したように、映像投射部２０ａから映像光が発せられ、接眼光学系２０ｂにより使用者の眼に導かれるので、使用者は映像を観察することが可能となる。
【００９４】
一方、映像表示装置４を装着しない場合、使用者は、レンズカバー４１を拡大レンズＳ１上から回動させてレンズカバー４１の覆いを外し、回動部１４ａ〜１４ｆにおいてテンプル１３Ｒ、１３Ｌ、ブリッジ１５を回動し、眼鏡フレームを折り畳む。そして、図１１（ａ）、（ｂ）に示す状態にまで映像表示装置４が折り畳まれると、操作部３３を介してスクリーンによる映像表示の指示操作を行う。映像表示装置４では、映像投射部２０ａから映像光（上下１８０度回転された像）が発光され、発光された映像光は拡大レンズＳ１を透過してスクリーンＳ２に入射する。このとき、拡大レンズＳ１での屈折により、映像光は拡大されてスクリーンＳ２に入射することとなるので、スクリーンＳ２には拡大された光学像が投影される。
【００９５】
以上のように、第４実施形態によれば、レンズ１１Ｌの一部に拡大レンズＳ１を設けるとともに、回動部１４ａ〜１４ｆを設けて映像表示装置４の眼鏡フレームを折り畳み可能な構成とし、折り畳んだ際に接眼光学系２０ｂの光路に対面する位置に拡大レンズＳ１及びスクリーンＳ２を設置したので、拡大レンズＳ１により映像をより拡大して表示することができる。よって、拡大表示により、映像表示装置２単体でも複数人で撮影映像を観察することができ、その携帯性を損なうことなく、利便性を向上させることができる。
さらに、眼鏡フレームを折り畳み可能な構成としたので、映像表示装置３を小型化することができ、携帯性を向上させることができる。
【００９６】
また、拡大レンズＳ１とスクリーンＳ２とを別体構成としたので、テンプル１３ＲにスクリーンＳ２と拡大レンズＳ１とが一体に構成されたスクリーン部Ｓが設けられる場合より小型化することができる。よって、使用者が眼鏡フレームを装着した場合でも、作業の妨げにならない。
【００９７】
また、レンズカバー４１を設けたので、拡大表示を行わない時にはこのレンズカバー４１を拡大レンズＳ１上に設置することにより、拡大レンズＳ１への入光を遮蔽することができる。よって、拡大レンズＳ１を介して強い光が使用者の眼に直接入射することを防止することができ、使用者の眼を損傷させることを防ぐことができる。
【００９８】
なお、上述した第１〜第４実施形態においては、スクリーン部Ｓ（第４実施形態では、スクリーンＳ１）をテンプル１３Ｒ又は１３Ｌを軸としてその周方向に回動可能に構成することとしていたが、軸と直交する方向の周方向、つまりスクリーン部Ｓの中心線を中心として回動可能に構成し、使用者自らが接眼光学系２０ｂの光路に対面する位置にスクリーン部Ｓを設置可能な構成としてもよい。これにより、使用者が表示状態に応じてスクリーン部Ｓの設置位置を自由に調整することができる。
【００９９】
また、第１〜第４実施形態において、スクリーン部Ｓによる拡大表示を行わない場合には、スクリーン部Ｓを回動させて接眼光学系２０ｂとの対面位置から外す旨説明したが、このスクリーン部Ｓが前記対面位置から外されるまで回動されたことを検知するセンサをテンプル１３Ｒ又は１３Ｌに設け、制御部３１においてセンサからの信号により回動されたと判別すると、自動的に映像投射部２０ａにおける表示動作を停止することとしてもよい。これにより、使用者自らが非表示の操作を行う必要がなくなり、操作性を向上させることができる。
【０１００】
〈第５実施形態〉
第１〜第４実施形態では、スクリーン部Ｓを眼鏡フレームに設けた例を説明したが、第５実施形態では、映像表示装置とクレードルとを備えた映像表示システムの例を示し、スクリーン部Ｓを眼鏡フレームではなく、このクレードルに設けた例を説明する。
【０１０１】
図１２に、第５実施形態における映像表示装置５を示す。
映像表示装置５において、第１実施形態の映像表示装置１と同一の構成部には、同一の符号を付し、異なる機能部分についてのみ説明する。
すなわち、映像表示装置５は、レンズ１１Ｒ、１１Ｌ、鼻あて１２Ｒ、１２Ｌ、テンプル１３Ｒ、１３Ｌ、回動部１４Ｒ、１４Ｌ、ブリッジ１５からなる眼鏡フレームに、映像投射部２０ａ、プリズム２４、ＨＯＥ２５からなる接眼光学系２０ｂ、制御本体部３０を備えて構成されている。
【０１０２】
また、図１２に示すように、映像表示装置５はカップ状に形成されたクレードル５０に装着可能である。クレードル５０の底辺部には、映像表示装置５を固定するための差込口が形成されており、この差込口に映像表示装置５を差し込むことにより、映像表示装置５を一定の状態で固定しておくことができる。クレードル５０では、映像表示装置５が正常に装着された状態で接眼光学系２０ｂの光路に対面する位置に、スクリーン部Ｓが設けられている。なお、クレードル５０は、映像表示装置５を収容して固定するスタンドの役割を果たすものであるが、充電機能やＰＣ（Personal Computer）等の他の外部装置へ接続するためのインターフェイスとして使用することとしてもよい。
【０１０３】
図１３に、映像表示装置５の制御本体部３０及びクレードル５０の内部構成を示す。
制御本体部３０の内部構成については、第１実施形態で説明した制御本体部３０と同一構成であるので、同一構成部には、同一符号を付してその説明を省略し、ここでは、クレードル５０の各部についてのみ説明する。
【０１０４】
図１３に示すように、クレードル５０は、制御部５１、メモリ５２、操作部５３、電源回路５４、充電用端子５５、デジタルＩ／Ｏ５６、５７、エンコーダ５８、デコーダ５９を備えて構成されている。
【０１０５】
制御部５１は、ＣＰＵ、ＲＡＭ等から構成され、メモリ５２に記憶されている各種制御プログラムに従って、クレードル５０の各部の動作を集中制御する。
例えば、制御部５１は、操作部５３を介して映像表示の指示操作がなされると、映像表示を指示する制御信号を生成してＩ／Ｏ５６を介して映像表示装置５の制御本体部３０に出力する。
【０１０６】
また、制御部５１は、クレードル５０に接続された外部装置との通信制御を行う。例えば、ＡＶ機器が接続された場合は、制御本体部３０から入力された映像の画像データをエンコーダ５８に出力してエンコードされたアナログ信号を外部装置へ出力させる、或いは外部装置から入力された映像のアナログ信号をデコーダ５８によりデコードさせて得られた画像データをＩ／Ｏ５６を介して制御本体部３０に出力し、映像を表示させる等の制御を行う。また、同様にＩ／Ｏ５７を介して接続されるＰＣ等の外部装置とのデータ通信制御を行う。
【０１０７】
操作部５３は、映像表示装置５における映像表示／非表示を指示するためのボタン等、クレードル５０の外壁に設けられた各種指示ボタンを備えて構成され、これらボタンが操作されると、対応する操作信号を生成して制御部５１に出力する。
【０１０８】
電源回路５４は、充電用端子５５を介して制御本体部３０側の電源３５の蓄積電力を検出し、その検出結果に応じて電源３５への電力供給を制御する。充電用端子５５は、映像表示装置５がクレードル５０に正常に装着された際に、制御本体部３０側の充電用端子２６と接触するように構成されている。
【０１０９】
Ｉ／Ｏ５６、５７は、入出力インターフェイスである。Ｉ／Ｏ５６は、制御本体部３０とデータの入出力を行い、Ｉ／Ｏ５７は、ＰＣ等の外部装置に接続された際に、当該外部装置とデータの入出力を行う。
【０１１０】
エンコーダ５８は、外部から入力されたアナログ信号をエンコードして外部へ出力する。例えば、映像表示装置５が記憶している映像を外部へ出力する際には、制御部５１から入力された映像のデータをエンコードしてテレビビジョン装置やプロジェクタ装置等の外部へ出力することができる。
【０１１１】
デコーダ５９は、制御部５１により入力されたアナログ信号をデコードして制御部５１に出力する。例えば、テレビ映像や、外部で撮影された撮影映像等のアナログ信号が外部から入力されると、当該アナログ信号をエンコードすることにより、外部装置から入力された映像を映像表示装置５において表示させることができる。
【０１１２】
なお、充電用端子２６、５５の接点、Ｉ／Ｏ３４、５６の接点は、雨やゴミ等による接触不良を防ぐため、映像表示装置５をクレードル５０に装着した際に、重力方向下側に位置することが好ましい。また、クレードル５０への装着時の安定性を考慮すると、これらの接点が、眼鏡フレームのヨロイ（眼鏡レンズ１１Ｒ、１１Ｌの外側の角部分）の下部、モダン（テンプル１３Ｒ、１３Ｌの先端側の耳あて部分）の先端、鼻あて１２Ｒ、１２Ｌの何れかに位置することが好ましいが、鼻あて１２Ｒ、１２Ｌの場合、油汚れや漏電による感電を防止するため、パッド部分以外の位置とすることが好ましい。
【０１１３】
次に、映像表示装置５の使用方法について説明する。
映像表示装置５を装着して使用する場合については、映像表示装置５では、第１実施形態で説明した動作と同様の動作が行われるので、ここでは説明を省略する。
一方、映像表示装置５を装着して使用しない場合、図１２に示すように、映像表示装置５をクレードル５０内の差込口に差し込み、装着する。
【０１１４】
映像表示装置５がクレードル５０に正常に装着されると、接眼光学系２０ｂの光路と対面する位置にスクリーン部Ｓが配置されることになる。ここで、操作部３３を介してスクリーンによる映像表示の指示操作を行うと、映像表示装置５では、映像投射部２０ａから映像光（上下１８０度回転された像）が発光され、スクリーン部Ｓに拡大表示された映像の光学像が投影される。また、このとき、充電用端子２６がクレードル５０側の端子に接触するので、当該充電用端子２６を介してクレードル５０から電力供給が行われる。供給された電力は、電源３５に蓄積され、充電が行われる。
【０１１５】
以上のように、第５実施形態によれば、クレードル５０にスクリーン部Ｓを設け、その設置位置を、クレードル５０に映像表示装置５を装着した際に、接眼光学系２０ｂの光路との対面する位置としたので、接眼光学系２０ｂにより導かれた映像光を拡大してクレードル５０に設けられたスクリーン部Ｓ上に投影することができる。拡大表示により、映像表示装置５の使用者だけでなく、複数人で映像を観察することができる。
【０１１６】
また、映像表示装置５をクレードル５０に固定した状態で、映像を観察することができるので、ぶれのない安定した映像を観察することができるとともに、映像表示装置５を使用者が手で保持する必要が無いので、映像を観察しながら作業を行うことができる。
【０１１７】
さらに、クレードル５０に充電機能を備えることにより、映像表示と同時に充電を行うことができ、他の外部装置との情報の入出力機能を備えることにより、外部装置と映像の交換等が可能となる。よって、映像表示装置５の利便性が向上する。
【０１１８】
なお、図１３では、映像表示装置５を縦長に立てて収容し、固定する縦置きタイプのクレードル５０の例を示したが、図１４に示すように横長に立てて収容し、固定する横置きタイプであってもよい。
【０１１９】
さらに、図１３及び図１４の例のように、クレードルをカップ状に形成して接眼光学系２０ｂとスクリーン部Ｓとを対向する位置に設置するのではなく、図１５に示すように、クレードル５０をボックス状に形成して、クレードル５０の一部分に映像表示装置５を収容できるように構成し、ボックスの上面にスクリーン部Ｓを設けることとしてもよい。
【０１２０】
この場合、図１６に示すように、ボックス上面にはスクリーンＳ２、ボックス内部に拡大レンズＳ１、ミラーＳ３を設置し、映像投射部２０ａから発せられた映像光が拡大レンズＳ１を透過した後、ミラーＳ３により反射されてスクリーンＳ２に投影されるように、クレードル５０を構成する。つまり、ミラーＳ３の反射作用により、接眼光学系２０ｂの光路に拡大レンズＳ１、スクリーンＳ２が対面することとなる。なお、この場合、ミラーＳ３で反射する際に映像は上下反転するので、映像投射部２０ａから発する映像光は、クレードル５０において使用者がスクリーンＳ２を見る方向によって１８０度回転ないし上下反転を行う。
【０１２１】
このような構成とすることにより、クレードル５０の上面から映像を観察することができるので、観察しやすくなる。
【０１２２】
〈第６実施形態〉
第６実施形態では、第１実施形態における映像表示装置１において操作部３３、電源３５等を制御本体部３０とは別体構成としたコントロールボックスを備え、このコントロールボックス上にスクリーン部Ｓを設置した例を説明する。
【０１２３】
図１７に、第６実施形態における映像表示装置６を示す。
第６実施形態における映像表示装置６において、第１実施形態の映像表示装置１と同一構成部には、同一の符号を付す。
すなわち、図１７に示すように、映像表示装置６は、レンズ１１Ｒ、１１Ｌ、鼻あて１２Ｒ、１２Ｌ、テンプル１３Ｒ、１３Ｌ、回動部１４Ｒ、１４Ｌ、ブリッジ１５からなる眼鏡フレームに、映像投射部２０ａ、プリズム２４、ＨＯＥ２５からなる接眼光学系２０ｂ、制御本体部３０を備えて構成されている。また、コントロールボックス６０を備え、コントロールボックス６０は、操作部３３、電源３５を備えて構成されている。  
【０１２４】
なお、映像表示装置６は、第１実施形態における映像表示装置１において制御本体部３０内に設けられていた操作部３３及び電源３５をコントロールボックス６０側に移した構成であり、その機能は同一であるので、ここでは各部の説明を省略し、以下、本実施形態に特徴的なコントロールボックス６０について説明する。
【０１２５】
コントロールボックス６０は、図１８に示すように、映像表示装置６の眼鏡フレームを装着して保持する保持部６１を有し、保持部６１はボックスの一辺を支軸としてコントロールボックス６０から外れて回動可能に構成されている。スクリーン部Ｓの使用時には保持部６１を回動してボックス本体から外すことにより、眼鏡フレームを装着しやすくなり、スクリーン部Ｓの不使用時には保持部６１をボックス本体に収容することにより、保持部６１をコントロールボックス６０と一体に保管することができる。保持部６１は、映像表示装置６の眼鏡フレームを収容できるようにその一端が凹状に形成されており、凹部の底辺には、眼鏡フレームを固定できるように差込口が形成されている。
【０１２６】
また、保持部６１には、スクリーン部Ｓが設けられている。スクリーン部Ｓは、眼鏡フレームを保持部６１の差込口に差し込み、装着した際に、接眼光学系２０ｂの光路にスクリーン部Ｓが対面するように設けられている。
【０１２７】
次に、上記映像表示装置６の使用方法について説明する。
映像表示装置６を装着して使用する場合、映像表示装置６では、第１実施形態で説明した動作と同様の動作が行われるので、ここでは説明を省略する。
一方、映像表示装置６を装着しない場合、図１８に示すように、コントロールボックス６０の保持部６１をボックス本体から回動させた後、映像表示装置６を保持部６１の差込口に差し込み、装着する。
【０１２８】
映像表示装置６が保持部６１に正常に装着されると、制御本体部３０から発光される映像光が保持部６１のスクリーン部Ｓに入射するように、制御本体部３０及びスクリーン部Ｓが位置することになる。ここで、操作部３３を介してスクリーンによる映像表示の指示操作を行うと、映像投射部２０ａから映像光（上下１８０度回転された像）が発光され、スクリーン部Ｓに拡大表示された映像の光学像が投影される。
【０１２９】
以上のように、第６実施形態によれば、コントロールボックス６０にスクリーン部Ｓを設け、その設置位置を、コントロールボックス６０に眼鏡フレームを装着した際に、接眼光学系２０ｂの光路との対面する位置としたので、接眼光学系２０ｂにより導かれた映像光の光学像を拡大してコントロールボックス６０に設けられたスクリーン部Ｓ上に投影することができる。よって、拡大表示により、映像表示装置６単体でも、複数人で映像を観察することができ、映像表示装置１の携帯性を損なわずに利便性を向上させることができる。
【０１３０】
また、保持部６１は、コントロールボックス６０本体に収納可能な構成としたので、保持部６１をボックス本体から回動させて眼鏡フレームを装着しやすいように、或いはスクリーン部Ｓに投影された光学像を観察しやすい位置に調整することができる。なお、保持部６１を、コントロールボックス６０本体からスライド可能な構成としてもよく、回動式の場合と同様の効果が得られる。
【０１３１】
なお、第１〜第６の実施形態の何れか又は複数を組み合わせることとしてもよい。例えば、第２の実施形態と第５の実施形態とを組み合わせて、撮影映像をクレードル上のスクリーン部に投影させることとしてもよいし、その撮影映像をクレードルを介して外部装置へ送信することとしてもよい。これにより、映像表示装置の使用者の現在状況を他者に知らせることができる。
【０１３２】
また、上記第１〜第６の実施形態では、制御本体部３０を右眼用のレンズ１１Ｒと一体に設けた単眼タイプの映像表示装置例を示したが、左眼、右眼ともに制御本体部３０を設けた両眼タイプであっても、本発明を適用可能である。
【０１３３】
例えば、図１９に示すように、左右の眼鏡レンズ１１Ｒ、１１Ｌに、それぞれ映像投射部２０ａ及び接眼光学系２０ｂを設けることにより、両眼で映像を観察することが可能となる。このとき、両眼で異なる映像を表示させることとしてもよいし、同一映像を表示させることとしてもよい。
【０１３４】
また、撮影部Ｃを複数設けることとしてもよい。
例えば、図１９に示すように、左右のテンプル１３Ｒ、１３Ｌに、撮影部Ｃを設け、各撮影部Ｃから入力される撮影画像を左右の映像投射部２０ａ及び接眼光学系２０ｂにより表示することとしてもよい。
【０１３５】
また、眼鏡型に形成された映像表示装置例を示したが、頭部に装着するための保持材が形成された頭部装着型であってもよい。例えば、保持材にスクリーン部Ｓを設けるとともに、保持材を折り畳み可能な構成とし、保持材を折り畳んだときに、接眼光学系２０ｂの光路との対面位置にスクリーン部Ｓを設ける等により、眼鏡型と同様に本発明を適用することができる。
【図面の簡単な説明】
【０１３６】
【図１】第１実施形態における映像表示装置１を示す図である。
【図２】映像表示装置１を折り畳んだ状態を示す図であり、（ａ）はスクリーン部Ｓにより拡大表示を行う場合、（ｂ）は拡大表示を行わない場合を示す図である。
【図３】映像投射部２０ａ、接眼光学系２０ｂの構成を示す図である。
【図４】制御本体部３０の内部構成を示す図である。
【図５】第２実施形態における映像表示装置２を示す図である。
【図６】映像表示装置２を折り畳んだ状態を示す図である。
【図７】第３実施形態における映像表示装置３を示す図である。
【図８】映像表示装置３を複数箇所で折り畳んだ状態を示す図であり、（ａ）は上面から見た図を示し、（ｂ）は側面部から見た図を示す。
【図９】第４実施形態における映像表示装置４を示す図である。
【図１０】（ａ）は映像表示装置４を上面から見た図であり、（ｂ）は正面から見た図である。
【図１１】映像表示装置４を複数箇所で折り畳んだ状態を示す図であり、（ａ）は上面から見た図を示し、（ｂ）は側面図から見た図を示す。
【図１２】第５実施形態における映像表示装置５とクレードル５０とを備えた映像表示システム１００を示す図である。
【図１３】制御本体部３０及びクレードル５０の内部構成を示す図である。
【図１４】横置き型のクレードル５０の実施例を示す図である。
【図１５】ボックス型のクレードル５０の実施例を示す図である。
【図１６】ボックス型のクレードル５０の構成を示す図である。
【図１７】第６実施形態における映像表示装置６を示す図である。
【図１８】映像表示装置６本体をコンロトールボックス６０の保持部６１に装着した状態を示す図である。
【図１９】両眼タイプの映像表示装置に、複数の撮影部Ｃを設けた例を示す図である。
【符号の説明】
【０１３７】
１    映像表示装置（第１実施形態）
２    映像表示装置（第２実施形態）
３    映像表示装置（第３実施形態）
４    映像表示装置（第４実施形態）
５    映像表示装置（第５実施形態）
６    映像表示装置（第６実施形態）
１１Ｒ、１１Ｌ    眼鏡レンズ
１２Ｒ、１２Ｌ    鼻あて
１３Ｒ、１３Ｌ    テンプル
１４Ｒ、１４Ｌ、１４ａ〜１４ｆ    回動部
１５    ブリッジ
２０ａ    映像投射部
２０ｂ    接眼光学系
３０    制御本体部
３１    制御部
３２    メモリ
３３    操作部
３５    電源
Ｓ    スクリーン部
Ｓ１    拡大レンズ
Ｓ２    スクリーン
Ｃ    撮影部
１００    映像表示システム
５０    クレードル
６０    コントロールボックス
６１    保持部
【図１】
2006139113.tif 000003
【図２】
2006139113.tif 000004
【図３】
2006139113.tif 000005
【図４】
2006139113.tif 000006
【図５】
2006139113.tif 000007
【図６】
2006139113.tif 000008
【図７】
2006139113.tif 000009
【図８】
2006139113.tif 000010
【図９】
2006139113.tif 000011
【図１０】
2006139113.tif 000012
【図１１】
2006139113.tif 000013
【図１２】
2006139113.tif 000014
【図１３】
2006139113.tif 000015
【図１４】
2006139113.tif 000016
【図１５】
2006139113.tif 000017
【図１６】
2006139113.tif 000018
【図１７】
2006139113.tif 000019
【図１８】
2006139113.tif 000020
【図１９】
2006139113.tif 000021